(57)【特許請求の範囲】
【請求項１】
環境試料のスクリーニング測定方法であって、
抗原である対象物質の抗体を捕捉する抗原誘導体を試料液の流路に配置した測定セルに、既知量の抗体を混合した試料液を流すステップ、
抗原誘導体に捕捉された抗体を測定するステップ、
測定結果の時系列信号における測定開始時刻のサンプリング値と、それより少なくとも１つ後の少なくとも１つのサンプリング値に基づいて、対象物質の量を予測し、当該予測された対象物質の量が基準値を含む所定範囲内に測定結果があるか所定範囲外にあるかの判定をするステップ、そして
判定結果の出力をするステップ
を備えたスクリーニング測定方法。
【請求項２】
その試料に対する測定結果が所定範囲外にあると予測した場合、他の試料の測定に移行するステップをさらに備えた請求項１に記載のスクリーニング測定方法。
【請求項３】
抗原である対象物質の抗体を捕捉する抗原誘導体を配置した試料液の流路を有する測定セル、
既知量の抗体を混合した試料液を測定セルに流すことにより抗原誘導体に捕捉された抗体を測定する手段、
対象物質の基準値を含む所定範囲を表すデータを記憶する手段、
測定結果の時系列信号における測定開始時刻のサンプリング値と、それより少なくとも１つ後の少なくとも１つのサンプリング値に基づいて、対象物質の量を予測し、当該予測された対象物質の量が基準値を含む所定範囲内に測定結果があるか所定範囲外にあるかの判定し、判定結果の出力をする手段
を備えたスクリーニング測定装置。
【発明の詳細な説明】
【技術分野】
【０００１】  本発明は、ダイオキシン類などの環境汚染物質を含む環境試料のスクリーニング測定を行うための方法および装置に関する。
【背景技術】
【０００２】  ダイオキシン類に代表される残留性有機化学物質（ＰＯＰｓ）は、長期に渡って生物に悪影響を及ぼす。有害である上に、脂肪に溶け易く、環境中でも分解され難い。特にダイオキシン類は毒性が強く、極微量でも生物に有害である。【０００３】  ダイオキシン類には、多くの異性体が存在し異性体によって毒性が異なるので、試料の毒性は毒性等量（ＴＥＱ）で評価される。毒性等量は、ダイオキシン類のうちで最も毒性の強い２，３，７，８−テトラクロロジベンゾ−パラ−ダイオキシン（２，３，７，８−ＴＣＤＤ）の毒性を基準に求められる。２，３，７，８−ＴＣＤＤの毒性を１としたときの各異性体の毒性に、その異性体の存在量を乗算した値の合計である。【０００４】  ダイオキシン類の測定には、公定法として、高分解能ガスクロマトグラフ質量分析計（ＨＲＧＣ／ＭＳ）による方法が採用されている。公定法では、前処理として、ソックスレー抽出法によりダイオキシン類を抽出したり、測定妨害物質を取り除くためクリーンアップ操作をしたりする。前処理した試料は、ＨＲＧＣ／ＭＳのキャピラリーカラムに注入する。キャピラリーカラムで異性体が分離される。キャピラリーカラムから溶出した各異性体は順次、二重収束形質量分析計に入る。質量分析計のクロマトグラフでダイオキシン類のデータを判別すれば、異性体ごとの存在量を得ることができる。ダイオキシン類の組成が分かれば、汚染源の特定が容易になる。また異性体の組成比に左右されず毒性等量を算定することが可能である。【０００５】  このような公定法のほか、ダイオキシン類の測定には簡易測定方法も用いられている。簡易測定方法では、前処理や測定法が簡易化される。その簡易化により、結果を得るのに要する時間が短縮され、コストも低減される。測定法を簡易化するものには、低分解能ガスクロマトグラフ質量分析計を用いた方法や生物検定法がある。【０００６】  生物検定法には、Ａｈレセプターを利用するバイオアッセイ法や、抗原抗体反応を利用するイムノアッセイ法がある。ＥＬＩＳＡ（Ｅｎｚｙｍｅ−Ｌｉｎｋｅｄ  Ｉｍｍｕｎｏｓｏｒｂｅｎｔ  Ａｓｓａｙ）法は、イムノアッセイ法の一つで酵素標識を利用する。例えば、ダイオキシン類のような対象物質を含む試料溶液と酵素標識を含む溶液とを混合し、その混合液を抗体固相化プレートに入れる。抗原である対象物質や酵素標識が抗体に結合してから、洗浄により未反応物質を取り除き、酵素標識と反応する発色基質を添加する。その状態で試料の吸光度を測定することにより、対象物質の濃度を得る。
【発明の開示】
【発明が解決しようとする課題】
【０００７】  上述したように簡易測定方法を用いることにより、結果を得るのに要する時間が短縮される。ＧＣ／ＭＳ法では結果が出るまでに１ヶ月程度の期間が必要となるため、簡易測定方法によりスクリーニング測定をする。【０００８】  しかしながら簡易測定方法でも、結果が出るまでは、ＧＣ／ＭＳ法やその他の方法による測定が必要かどうかの判断が困難で、その分判断に時間がかかる。【０００９】  本発明は、このような従来の技術における課題を鑑みてなされたものであり、選別の判断を迅速にすることが可能な環境試料のスクリーニング測定方法および装置を提供することを目的とするものである。
【課題を解決するための手段】
【００１１】
本発明は、環境試料のスクリーニング測定方法であって、抗原である対象物質の抗体を捕捉する抗原誘導体を試料液の流路に配置した測定セルに、既知量の抗体を混合した試料液を流すステップ、抗原誘導体に捕捉された抗体を測定するステップ、測定結果の時系列信号における測定開始時刻のサンプリング値と、それより少なくとも１つ後の少なくとも１つのサンプリング値に基づいて、対象物質の量を予測し、当該予測された対象物質の量が基準値を含む所定範囲内に測定結果があるか所定範囲外にあるかの判定をするステップ、そして判定結果を出力するステップを備えるスクリーニング測定方法を提供する。
【００１３】
好ましくは、その試料に対する測定結果が所定範囲外にあると予測した場合、他の試料の測定に移行するステップをさらに備える。
【００１６】
さらに他の観点では、上述のスクリーニング測定方法に使用するスクリーニング測定装置を提供することができる。このスクリーニング測定装置は、抗原である対象物質の抗体を捕捉する抗原誘導体を配置した試料液の流路を有する測定セル、既知量の抗体を混合した試料液を測定セルに流すことにより抗原誘導体に捕捉された抗体を測定する手段、対象物質の基準値を含む所定範囲を表すデータを記憶する手段、測定結果の時系列信号における測定開始時刻のサンプリング値と、それより少なくとも１つ後の少なくとも１つのサンプリング値に基づいて、対象物質の量を予測し、当該予測された対象物質の量が基準値を含む所定範囲内に測定結果があるか所定範囲外にあるかの判定をする手段、そして判定結果を出力する手段を備える。
【発明の効果】
【００１９】  このような構成を採用することにより、本発明では、環境試料の選別の判断を迅速にすることが可能となる。
【図面の簡単な説明】
【００２０】
【図１】図１は本発明の実施の形態におけるスクリーニング測定システムの概略構成を説明するための図である。
【図２】図２は本発明の測定原理を説明するための図である。
【図３】図３は測定データの一例を示す図である。
【図４】図４は排ガス試料について本測定方法と公定法との相関関係を示す図である。
【図５】図５は燃え殻試料について本測定方法と公定法との相関関係を示す図である。
【図６】図６は飛灰試料について本測定方法と公定法との相関関係を示す図である。
【図７】図７は土壌試料について本測定方法と公定法との相関関係を示す図である。
【図８】図８はモニタ画面の一例を示す図である。
【図９】図９は試料の測定を途中で中止した場合の測定結果を表示する画面の一例である。
【符号の説明】
【００２１】  １      測定部
２      データ処理部
１０１  測定セル
１０２  ポンプ
１０３  励起光源
１０４  光センサ
１０５  コントローラ
１０６  流路
１０７  固相化抗原誘導体
２０３  ＨＤＤ
２０５  ＣＰＵ
【発明を実施するための最良の形態】
【００２２】  以下、添付図面を参照して、本発明の実施の形態について説明する。この実施の形態では、本発明は、対象物質としてダイオキシン類を含む環境試料に対しスクリーニング測定をするシステムとして具体化される。【００２３】  この実施の形態におけるスクリーニング測定システムは、前処理済みのダイオキシン類含有環境試料と蛍光標識した抗体溶液との反応により抗原抗体複合体を形成させ、抗原誘導体固相化担体を充填した測定セルにて反応溶液中の未反応抗体を捕捉し、蛍光強度を測定する。【００２４】  図１は本発明の実施の形態におけるスクリーニング測定システムの概略構成を説明するための図である。このスクリーニング測定システムは、測定部１およびデータ処理部２を備えている。【００２５】  測定部１は、測定セル１０１、ポンプ１０２、励起光源１０３、光センサ１０４、コントローラ１０５を備える。測定セル１０１は、試料溶液を流す流路１０６を有する。この流路１０６には、抗原であるダイオキシン類の抗体を捕捉するため抗原誘導体を固相化した担体１０７を充填している。【００２６】  ポンプ１０２には、チューブポンプのような定量ポンプを用いることができる。ポンプ１０２は、測定セル１０１の流路１０６に、抗体を含む溶液を混合した試料溶液を流す。これにより、測定部１は、担体１０７に捕捉された抗体を測定することができる。【００２７】  図２は測定原理を説明するための図である。環境試料溶液中には、抗原であるダイオキシン類１０８が未知量含まれる。このダイオキシン類１０８を定量するため、環境試料溶液と、既知量の標識抗体１０９を含む溶液とを混合する。混合により、環境試料溶液中のダイオキシン類１０８と一部の標識抗体１０９とが、抗原抗体反応により結合し、抗原抗体複合体１１０を形成する。反応溶液は、この抗原抗体複合体１１０と、未反応の標識抗体１０９とを含む。その反応溶液をポンプ１０２により流路１０６に流す。反応溶液を流路１０６に流すと、未反応の標識抗体１０９は担体１０７により捕捉される。抗原抗体複合体１１０は担体１０７を通過し、測定セル１０１から排出される。反応溶液に含まれる標識抗体１０９の総量が既知の場合、担体１０７に捕捉された標識抗体１０９の量を測定すれば、標識抗体１０９の総量から測定量を差し引くことにより、ダイオキシン類１０８の量を求めることができる。担体１０７に捕捉された抗体１０９の量を測定するため、ここでは、蛍光試薬により抗体１０９を標識化している。【００２８】  抗体１０９には、２，３，４，７，８−ＰｅＣＤＦなどの燃焼由来のダイオキシン総ＴＥＱ量に高い相関がある５，６塩素ジベンゾフランに高い反応性を示す抗体（特願２００４−００３２３４号参照）を使用することができる。【００２９】  このような測定原理や抗体を用いることで、従来の簡易測定方法と較べても非常に迅速な測定を行うことが可能となる。これまでのイムノアッセイ測定では数時間かかっているところを数分間ですることができる。【００３０】  図１の励起光源１０３は、担体１０７へ励起光を照射する。この励起光により、担体１０７に捕捉された標識抗体１０９が蛍光する。【００３１】  光センサ１０４は、ここでは、測定セル１０１を���んで励起光源１０３と対向する位置に配置されている。標識抗体１０９からの蛍光は、この光センサ１０４に入射する。光センサ１０４は、光電素子を含み、蛍光強度に応じた電気信号を時系列に出力することができる。光センサ１０４はその電気信号を適当な時間間隔でサンプリングし、そのサンプリング時間ごとに蛍光強度を表す数値データ列を含むセンサデータをコントローラ１０５に出力する。【００３２】  コントローラ１０５は、ポンプ１０２、励起光源１０３、光センサ１０４を含む測定部１全体を制御する。コントローラ１０５は、ポンプ１０２や励起光源１０３を制御し、光センサ１０４にセンサデータを出力させる。【００３３】  このコントローラ１０５の制御により、測定部１は校正や本測定し、さらには洗浄やその他の操作も自動で行う。本測定を行う前、測定部１は、Ｂ０測定、内部標準試料測定を行う。Ｂ０測定では、対象物質であるダイオキシン類を含まない試料の蛍光強度を測定する。内部標準試料測定では、内部標準試料を用いて測定を行う。この測定は、校正をするための測定である。本測定では、ダイオキシン類を含む複数の環境試料を順次測定することができる。【００３４】  図３は測定データの例である。この図で横軸は時間を表し、縦軸は蛍光強度を表す。時間帯３０１のデータがＢ０測定に対応し、時間帯３０２のデータが内部標準試料測定に対応し、時間帯３０３のデータが本測定に対応する。この例では、３つの環境試料について測定を行っている。Ｂ０測定と本測定の蛍光強度の差は、ダイオキシン類濃度に由来する。本測定では、一部の抗体１０９が抗原抗体複合体１１０を形成するので、未反応の抗体１０９が少なくなっている。このため、Ｂ０測定よりも本測定の方で、発光強度の値が小さくなる。【００３５】  コントローラ１０５は、このような測定シーケンスを実行することにより、光センサ１０４からセンサデータを得ると、そのセンサデータをデータ処理部２に出力する。【００３６】  図１のデータ処理部２は、対象物質であるダイオキシン類に対する基準値を含む所定範囲を表すデータ、および光センサ１０４からの時系列のセンサ信号に基づいて、環境試料に対し他の測定が必要かどうか判定する。ここでは、ＧＣ／ＭＳ法による測定が必要かどうかを判定する。ＧＭ／ＭＳ法だけでなくその他の測定法により定量することもできる。対象物質がダイオキシン類である場合、基準値として、例えば新設小型炉（焼却能力２ｔ／ｈ）の排ガスに対する排出基準値、５ｎｇ−ＴＥＱ／ｍ３Ｎを用いることができる。基準値には、排出基準値のほか、環境基準値、調査指標値など各種の値を用いることができる。基準値を含む所定範囲は、例えば基準値の０．５倍の値から２倍の値までに対応する範囲である。基準値が５ｎｇ−ＴＥＱ／ｍ３Ｎであれば、毒性等量について、２．５ｎｇ−ＴＥＱ／ｍ３Ｎから１０ｎｇ−ＴＥＱ／ｍ３Ｎまでの範囲を与えることができる。【００３７】  データ処理部２には、専用のハードウェアを用いることもできるし、汎用のコンピュータを用いてもよい。ここでは、汎用のコンピュータを用いる。図１の例では、そのコンピュータのバス２０１にインターフェイス２０２、ＨＤＤ２０３、ＲＡＭ２０４、ＣＰＵ２０５、���よびビデオインターフェイス２０６が接続されている。【００３８】  インターフェイス２０２は、コントローラ１０５をデータ処理部２と接続する。光センサ１０４により得られたセンサデータのデータ列は、このインターフェイス２０２により順次、データ処理部２に入力される。またこの例では、インターフェイス２０２に、キーボードやカーソルデバイスのような入力デバイス２０７も接続されている。ユーザは、この入力デバイス２０７を用いてデータ処理部２に指示を与えることができる。【００３９】  ＨＤＤ２０３は、基準値を満たすかどうかをＧＣ／ＭＳ法により確認する必要の有無を評価するための判定プログラムを格納することができる。また環境値を含む所定範囲を表すデータも、このＨＤＤ２０３に予め記憶させておく。【００４０】  ＲＡＭ２０４は、ＨＤＤ２０３から読み出したプログラムやデータを一時的に記憶するのに利用することができる。【００４１】  ＣＰＵ２０５は、例えばコントローラ１０５から制御信号を受信したときや、ユーザから指示を受けたときに、ＨＤＤ２０３から判定プログラムを読み出し、その判定プログラムの指令に従ってコンピュータを動作させる。これにより、データ処理部２は、その判定を行う機能、およびその判定結果を出力する機能を実現する。ＣＰＵ２０５は、判定機能を実現するため、ＨＤＤ２０３から所定範囲を表すデータを読み出し、一時的にＲＡＭ２０４上に記憶する。センサデータのデータ列も一時的にＲＡＭ２０４に記憶する。【００４２】  ここでは判定を行うため、ＣＰＵ２０５は、各試料に対する本測定の開始時刻のデータからその本測定におけるサンプリング値の最高値を予測し、その予測値が所定範囲内にあるかどうかを決定する。予測値を求めるため、ＣＰＵ２０５は、ＲＡＭ２０４上のセンサデータから、各試料に対する本測定の開始時刻のデータを特定する。サンプリング値の変化量の計算を時系列方向に移動して行えば、本測定の開始時刻のデータを特定することができる。図３の例のように各測定の間には、ほとんど蛍光強度が変化しない時間帯がある。このため、その時間帯には変化量が零近傍になる。零より大きな閾値を設定していれば、その閾値をサンプリング値が上回るかどうかで開始時刻のデータを特定することができる。変化量の計算は、例えばサンプリング値が新しく入力される度に、そのサンプリング値とそれよりも一つか複数前のサンプリング値を使って行えばよい。【００４３】  変化量を計算する代わりに、開始時間を表すヘッダデータをコントローラ１０５がセンサデータに含めるようにしてもよい。例えばヘッダデータに、測定シーケンス開始時刻、本測定開始時刻、サンプリング時間のデータが含まれていれば、いつ入力されたサンプリング値が本測定開始時刻のデータであるかを特定することができる。【００４４】  このようにして本測定の開始時刻のデータを特定すると、ＣＰＵ２０５は、その開始時刻のデータと、その直後、またはその後の複数のサンプリング値を使って変化量を計算する。変化量を計算すると、例えば予め設定された時間間隔とその変化量を乗算し、開始時刻のサンプリング値にその乗算値を加算することにより、その本測定におけるサンプリング値の最高値を��測する。【００４５】  最高値の予測値を計算すると、ＣＰＵ２０５は、その予測値が所定範囲内にあるか所定範囲外にあるかを判定する。ここでは、その予測値が、所定範囲の上限値以下で下限値以上であるかどうか値を比較する。その予測値を蛍光強度で得ているときは、所定範囲についても蛍光強度での換算値を使う。毒性等量で予測値を得ていれば、毒性等量に対する所定範囲の値を使う。【００４６】  ＣＰＵ２０５は、予測値が所定範囲内にあると判定すると、その試料が基準値を満たすかどうかＧＣ／ＭＳ法により確認する必要があると決定し、予測値が所定範囲外にあれば、その必要がないと判定する。【００４７】  このように予測値が所定範囲内にあるかどうかにより判定する代わりに、実際のサンプリング値が所定範囲内にあるかどうかにより判定をしてもよい。【００４８】  図４乃至図７は、ＧＣ／ＭＳ法による確認が必要であると判定した場合の本測定方法とＧＣ／ＭＳ法との相関関係を示す図である。図４は排ガス試料について評価を行った結果を示し、図５は燃え殻試料について評価を行った結果を示し、図６は飛灰試料について評価を行った結果を示し、図７は燃焼由来の汚染土壌試料について評価を行った結果を示す。各図中の黒丸はサンプルを示す。いずれの種類の試料についても１に近い相関値が得られているけれども、異性体の組成比によっては本測定方法とＧＣ／ＭＳ法とで分析値に乖離が生じる恐れがある。このため、本測定方法では基準値をわずかに超えていないような場合でも、基準値を含む所定範囲内にあると、ＧＣ／ＭＳ法では基準値を超えている可能性がある。所定範囲を用いず、基準値に対応して設定したひとつのしきい値で判定をすると、誤った判定をするかもしれない。所定範囲を用いて基準値を超える可能性のある試料を特定することにより、その危険性を抑えることができる。所定範囲は基準値を超える恐れのある試料を特定できればよく、０．５倍から２倍までの範囲に限られるものではない。【００４９】  図１のビデオインターフェイス２０６は、ＣＰＵ２０５の指示にしたがって、判定結果をディスプレイ２０８上に表示する。ここでは、測定部１の測定結果も表示する。ＣＰＵ２０５は、判定結果や測定結果からモニタ画面の画像信号を作成し、ビデオインターフェイス２０６に供給する。ビデオインターフェイス２０６は、その画像信号に従ってモニタ画面をディスプレイ２０８に表示する。【００５０】  図８はモニタ画面の一例を示す図である。モニタ画面４０１は、判定表示部４０２、測定結果表示部４０３、およびセンサグラム表示部４０４を有する。判定表示部４０２は判定結果を表示する。この例では、基準値を満たすかどうかの確認が必要であるという決定に対応して、「基準値を満たすかどうかＧＣ／ＭＳ法等により確認する必要のある試料があります。」というメッセージを表示している。【００５１】  上述のように測定が迅速に行われるので、この表示を参照することにより、測定を開始すれば即座にユーザは、ＧＣ／ＭＳ法による測定の必要性を認識することができる。【００５２】  測定結果表示部４０３は、測定結果のデータを数値で表示する。センサグラム表示部４０４は測定により得られたセンサグラムを表示する。���ンサグラム表示部４０４上の矩形図形４０５は、所定範囲に対応する。ＣＰＵ２０５は、ＲＡＭ２０４上のデータを用いて、この矩形図形４０５の画像を作成する。このように対象物質の基準値を含む所定範囲と測定結果の時系列信号とを対照可能に表示することでも、ユーザは視覚的を通じて、ＧＣ／ＭＳ法による測定の必要性を即座に認識することができる。ユーザは総ダイオキシン量の定量や汚染源の特定を行うべき試料を早期に特定することができる。その結果、分析全体にかかる時間の短縮とコストの軽減を図ることができる。【００５３】  また測定値が所定範囲外にあれば、ＧＣ／ＭＳ法での確認によらずとも、試料が基準に適合しているかどうかを定めることができる。ダイオキシン類の濃度が所定範囲の下限値以下であれば（蛍光強度が所定範囲の上限値以上であれば）、基準に適合している。一方、ダイオキシン類の濃度が所定範囲の上限値以上であれば（蛍光強度が所定範囲の下限値以下であれば）、基準に適合していない。このような判断も、ディスプレイ２０８の表示からユーザは容易かつ早期にすることができる。その場合に、ＣＰＵ２０５は、ダイオキシン類の濃度が所定範囲の下限値以下であれば、「試料は所定範囲以下です（基準値の５０％以下）。」というメッセージを作成し、濃度が所定範囲の上限値以上であれば、「試料が所定範囲以上です（基準値の２００％以上）。精査を推奨いたします。」というメッセージを作成し、ディスプレイ２０８に表示するようにしてもよい。【００５４】  さらに、上述したように、その試料に対する測定結果が所定範囲内にあるか所定範囲外にあるかをその試料に対する測定初期の時系列信号に基づいて予測している場合には、測定値が所定範囲外にあれば、その試料に対する測定を中止することもできる。測定の中止は、例えばダイオキシン類の濃度が所定範囲の上限値以上である場合に行う。ＣＰＵ２０５は、測定初期の時系列信号に基づいた予測により測定値が所定範囲外にあると判定すると、プログラムの指令にしたがって、コントローラ１０５に制御信号を送信する。制御信号を受信すると、コントローラ１０５は、その試料に対する以降の測定動作を中止し、他の試料に対する測定に移行する。より具体的には、その試料に対する繰返し測定をキャンセルし、洗浄を行ってから、次の試料に対する測定を開始する。【００５５】  図９は試料の測定を途中で中止した場合の測定結果を表示する画面の一例である。この例では、左から２番目の時間帯５０１で測定の中止が行われている。このように測定を中止し、次の試料の測定に移行することで、その時間帯５０１の長さは、他の試料に対する時間帯５０２、５０３、５０４よりも短くなっている。すなわち、測定中止により、測定に要する時間を短縮することが可能となる。多数の試料について測定を行う場合に特に有効である。【００５６】  上述した実施の形態は本発明の技術的範囲を制限するものではなく、既に記載したもの以外でも、本発明の範囲内で種々の変形や応用が可能である。例えばデータ処理部２のハードウェアを専用のハードウェアで構成し、測定部１に組み込むことにより、一体のハードウェアにより上述の機能を実現するようにしてもよい。【００５７】  また上述の実施の形態では、蛍光強度を測定したが、標識によって吸光度を測定してもよいし、その他の物理量を測定してもよい。【００５８】  また、上述の実施の形態ではＧＣ／ＭＳ法やその他の方法による測定の必要性の判定と、測定結果と所定範囲の対照表示との両方を行ったが、いずれか一方のみを行うようにしてもよい。いずれか一方でも、ユーザは視覚を通じて判断をすることができる。【００５９】  またダイオキシン類を検出するための抗体に別のものを用いてもよい。さらにダイオキシン類を含む環境試料に限らず、極微量分析を行う必要のあるその他の環境試料のスクリーニング測定について本発明を適用することもできる。
【産業上の利用可能性】
【００６０】  本発明にかかる環境試料のスクリーニング測定方法および装置は、環境試料の選別の判断を迅速にすることが可能となるという優れた効果を有し、ダイオキシン類やその他の環境汚染物質または残留性有機化学物質を含む環境試料のスクリーニング測定などで有用である。
【図１】
0004777983.tif 000002
【図２】
0004777983.tif 000003
【図３】
0004777983.tif 000004
【図４】
0004777983.tif 000005
【図５】
0004777983.tif 000006
【図６】
0004777983.tif 000007
【図７】
0004777983.tif 000008
【図８】
0004777983.tif 000009
【図９】
0004777983.tif 000010